(57)【要約】【課題】従来、平瓦本体の両頭側より尻側に向って設けた高い（形状の）水返し突条を利用した、ス゛レ防止であるので、平瓦本体の両側端の一部に低い（形状の）水返し突条が形成される。本葺きにおいて、むくり等のように曲面状で葺上げる際に、低い水返し突条を、雨水が乗り越え、又は伝い流れ、平瓦本体の裏面側に流下、流れ落ちて雨水対策が十分でない、屋根裏の濡れの問題が発生する。【構成】本発明は、左右兼用の第一の平瓦、及び第二の平瓦の葺き合せでなる本葺き屋根の平瓦で、第一の平瓦を、平瓦部と、その両側面端、尻側端に設けた各水返し突条で構成し、第二の平瓦を、尻側が広幅の平瓦部と、その両側面端、尻側端に沿って設けた係止段付き部を備えた水返し突条、裏面側の凹部とで構成し、第一の平瓦の平瓦部に第二の平瓦の平瓦部が、また第一の平瓦の水返し突条尻端に第二の平瓦の水返し突条係止段付き部が衝止し、それぞれ葺上げられる本葺き屋根である。【選択図】    図１
2004176287.tif 000002
【特許請求の範囲】
【請求項１】
本葺き屋根を、第一の平瓦と、第二の平瓦との葺き合せで構成する本葺き屋根の平瓦であって、
この第一の平瓦を、平瓦部と、この平瓦部の両側面端に設けた略平坦上面を有する水返し突条と、またこの平瓦部の尻側端に設けた尻側水返し突条と、で構成し、
この第二の平瓦を、尻側が広幅となる平瓦部と、この平瓦部の両側面端に沿って設けた略平坦上面を有する係止段付き部を備えた水返し突条と、当該平瓦部の尻側端に設けた尻側水返し突条と、またこの平瓦部の裏面側に設けた凹部と、で構成し、
前記第一の平瓦の平瓦部に、前記第二の平瓦の平瓦部が葺上げられるとともに、また前記第一の平瓦の水返し突条尻端に、前記第二の平瓦の水返し突条係止段付き部が衝止することを特徴とした本葺き屋根の平瓦。
【請求項２】
請求項１に記載の第一の平瓦が、破風構造の一の平瓦で、また第二の平瓦が、破風構造の二の平瓦である構成の本葺き屋根の平瓦。
【請求項３】
請求項１に記載の第一の平瓦が、本葺き屋根の一方の平瓦で、また第二の平瓦が、本葺き屋根の他方の平瓦である構成の本葺き屋根の平瓦。
【発明の詳細な説明】
【０００１】
【産業上の利用分野】
本発明は、本葺き屋根の平瓦に関する。
【０００２】
【従来の技術】
従来、本葺き屋根の平瓦に関する文献の一例を挙げると、次の文献（１）〜（３）が挙げられるので、その概要を本発明との関係で説明する。
【０００３】
文献（１）は、実公昭５０−１５６９６号の本葺用の平瓦があり、その内容は、平瓦本体の両側端と、尻側端に亙って水返し突条を形成するとともに、両頭側より平瓦本体の略中央部に向って高い水返し突条とすること、この高い両水返し突条の中央部端に、他の本葺き用の平瓦の両水返し突条頭側端が衝止することで、当該本葺き用の平瓦のス゛レ防止（耐震、耐風対策）と、また葺設された本葺き用の平瓦の両側端に、高い水返し突条を形成することで、平瓦本体を流れる雨水の堰き止め効果（耐風雨対策）を意図する構成である。
【０００４】
文献（２）は、特開平１１−３１５６１９号の瓦があり、その内容は、前記文献（１）に順ずる。
【０００５】
また文献（３）は、実開昭６０−１１５３１８号の本葺き屋根の葺き土風化防止凸部つき平瓦があり、その内容は、平瓦本体の表面側両端に葺き土風化防止凸部を設け、この葺き土風化防止凸部の尻端に、他の平瓦本体の頭側端面が衝止する構成であり、当該本葺き用の平瓦のス゛レ防止と、葺き土風化防止とを図る構成である。
【０００６】
【発明が解決しようとする課題】
前記文献（１）、（２）は、平瓦本体の両頭側より尻側に向って設けた高い（形状の）水返し突条を利用した、ス゛レ防止である。従って、平瓦本体の両側端の一部に低い（形状の）水返し突条が形成される。この低い水返し突条は、本葺きにおいて、むくり（湾曲した屋根を云う）、又はそりの如く、曲面状で葺上げる際に、この低い水返し突条を、雨水が乗り越え、又は伝い流れる。これにより、平瓦本体の裏面側に流下、又は流れ落ちる等することから、雨水対策が十分でない、又は屋根裏の濡れの問題が発生する。そして、この水返し突条を採用した平瓦本体（本平瓦）では、豪雨の場合の雨水対策が十分でないので、当然解決すべき課題と考えられる。殊に、１条の水返しでは、問題があることは、明らかであり、解決すべき課題である。
【０００７】
また文献（３）は、平瓦本体の両表面側に、頭側より尻側に向って設けた葺き土風化防止凸部を利用した、ス゛レ防止である。しかし、平瓦本体に水返し突条を設けない構成を採用することから、前記文献（１）、（２）より、前記雨水対策に関して、一層解決すべき課題と思われる。
【０００８】
【課題を解決するための手段】
請求項１の発明は、左右兼用の第二の平瓦（第二の平瓦とする）の水返し突条に係止段付き部を形成し、この係止段付き部を、左右兼用の第一の平瓦（第一の平瓦とする）の水返し突条尻端に衝止することで、ス゛レ防止を図ること、又は第一の平瓦の水返し突条と、第二の平瓦の水返し突条とを併設することで、本葺きにおいて、むくり、又はそりの如く、曲面状で葺上げる際に、この併設した水返し突条で、雨水の乗り越え、又は伝い流れを防止して、平瓦本体の裏面側に雨水流下、又は雨水流れ落ち等をなくす（雨水対策を図り、また屋根裏の濡れをなくす）こと、等を意図する。また左右兼用の第一の平瓦、及び第二の平瓦を採用することで、当該瓦の在庫、運搬等の枚数減少化、又は搬送の容易化、排気カ゛スの減少化等に寄与することを意図する。
【０００９】
請求項１は、本葺き屋根を、第一の平瓦と、第二の平瓦との葺き合せで構成する本葺き屋根の平瓦であって、
この第一の平瓦を、平瓦部と、この平瓦部の両側面端に設けた略平坦上面を有する水返し突条と、またこの平瓦部の尻側端に設けた尻側水返し突条と、で構成し、
この第二の平瓦を、尻側が広幅となる平瓦部と、この平瓦部の両側面端に沿って設けた略平坦上面を有する係止段付き部を備えた水返し突条と、当該平瓦部の尻側端に設けた尻側水返し突条と、またこの平瓦部の裏面側に設けた凹部と、で構成し、
前記第一の平瓦の平瓦部に、前記第二の平瓦の平瓦部が葺上げられるとともに、また前記第一の平瓦の水返し突条尻端に、前記第二の平瓦の水返し突条係止段付き部が衝止することを特徴とした本葺き屋根の平瓦である。
【００１０】
請求項２の発明は、破風構造に最適な一・二の平瓦を提供して、請求項１と同じ効果を達成することを意図する。
【００１１】
請求項２は、請求項１に記載の第一の平瓦が、破風構造の一の平瓦で、また第二の平瓦が、破風構造の二の平瓦である構成の本葺き屋根の平瓦である。
【００１２】
請求項３の発明は、本葺き屋根に最適な一方・他方の平瓦を提供して、請求項１と同じ効果を達成することを意図する。
【００１３】
請求項３は、請求項１に記載の第一の平瓦が、本葺き屋根の一方の平瓦で、また第二の平瓦が、本葺き屋根の他方の平瓦である構成の本葺き屋根の平瓦である。
【００１４】
【発明の実施の形態】
１．  図１〜図１０に示す破風構造の実施態様を説明する。本葺き屋根の破風板に、一の平瓦（左右兼用である）の瓦当てが略接するように屋根地に、瓦棧を利用して葺き上げ、この一の平瓦を釘止め固止する。この一の平瓦の水返し突条間に、二の平瓦を挿入するとともに、一の平瓦の表面側に、二の平瓦の裏面側を当接し、この二の平瓦を釘止めする。この一の平瓦に二の平瓦を葺設することで、二の平瓦部の係止段付き部が、一の平板瓦の尻端に衝止し、当該一・二の平瓦が一体に葺上げられると、当該一・二の平瓦の水返し突条で、二重の水返し突条が形成される。従って、この二重の水返し突条が形成されることで、当該一・二の平瓦の側面側より漏れる雨水をなくして、雨仕舞の向上が期待できる。また一の平瓦の水返し突条尻端に、二の平瓦の水返し突条の係止段付き部が衝止することで、ス゛レ防止が図れる。以上のようにして葺設された当該一・二の平瓦と、これに隣接する一・二の平瓦の平瓦部の両端の表面部に左右の軒巴を葺き上げる。この左右の軒巴で、一・二の平瓦の平瓦部の両端を隠蔽して、一・二の平瓦の段付感覚を表現する。そして、この軒巴は釘止め、銅線止め等の手段で固定される。
【００１５】
尚、軒先用の一・二の平瓦には、瓦当てを設けること、又は軒先用の軒巴では、瓦当てを設けることは従前と同様である。
【００１６】
２．  図１１〜図２１に示す本葺き屋根の実施態様を説明する。本葺き屋根の野地板に、軒先用の一方の平瓦（左右兼用である）の瓦当てが略接するように屋根地に設けた瓦棧（横棧）に係止するように葺設する。そして、望ましくは、縦棧工法（特許第２９０５７７６号：他の例も同じ）を利用して葺き上げ、この軒先用の一方の平瓦を釘止め固止する。この軒先用の一方の平瓦の水返し突条間に、軒先用の他方の平瓦を挿入するとともに、軒先用の一方の平瓦の表面側に、軒先用の他方の平瓦の裏面側を当接し、この軒先用の他方の平瓦を釘止めする。この軒先用の一方の平瓦に軒先用の他方の平瓦を葺設することで、軒先用の他方の平瓦の係止段付き部が、軒先用の一方の平瓦の尻端に衝止し、当該軒先用の一方・他方の平瓦が一体に葺上げられると、当該軒先用の一方・他方の平瓦の水返し突条で、二重の水返し突条が形成される。従って、この二重の水返し突条が形成されることで、当該軒先用の一方・他方の平瓦の側面側より漏れる雨水をなくして、雨仕舞の向上が期待できる。また軒先用の一方の平瓦の水返し突条尻端に、軒先用の他方の平瓦の水返し突条の係止段付き部が衝止することで、ス゛レ防止が図れる。以上のようにして葺設された当該軒先用の一方・他方の平瓦と、これに隣接する軒先用の一方・他方の平瓦の平瓦部の両端の表面部に左右の軒巴を葺き上げる。この左右の軒巴で、軒先用の一方・他方の平瓦の平瓦部の両端を隠蔽して、軒先用の一方・他方の平瓦の段付感覚を表現する。そして、この軒巴は釘止め、銅線止め等の手段で固定される。
【００１７】
尚、図示しないが軒先用の一方・他方の平瓦には、瓦当てを設けること、又は軒先用の軒巴では、瓦当てを設けることは従前と同様である。
【００１８】
そして、この葺設された軒先用の他方の平瓦には、次の一方の平瓦が、当該軒先用の他方の平瓦と同様に葺設される。
【００１９】
【実施例】
以下、本発明の一例を説明する。
【００２０】
１．  図１〜図１０に示す破風構造の実施態様を説明する。
【００２１】
１は一の平瓦Ａの平瓦部で、この平瓦部１の表面１００の両側面端１０１、１０２には、略平坦上面２００、３００を有する水返し突条２、３が設けられている。また平瓦部１の表面１００の尻側端１０３には、略平坦上面４００を有する水返し突条４が設けられている。この水返し突条２、３は、同じ高さとして、製造の容易化、低コスト化、又は水返し効果等を意図する。そして、水返し突条４を、他の水返し突条２及び／又は３に比し、低くして二の平瓦（後述する）の葺設と、軽量化、水返し機能の達成に役立てること等を意図する。図中５は釘孔、６は平瓦部１の裏面１００ａに設けた引掛け、７は平瓦部１の裏面１００ａに設けた安定駒、８は平瓦部１の裏面１００ａに設けた横棧用の当て部をそれぞれ示す。また図中９は頭側端１０４に設けた瓦当てを示す。
【００２２】
１０は二の平瓦Ｂの平瓦部で、この平瓦部１０の表面１０００の両側面端１００１、１００２には、略平坦上面１１００、１２００を有する水返し突条１１、１２が設けられている。尚、この表面１０００は尻側１００３ａが広幅１０００−１となっている。そして、前記水返し突条１１、１２は、広幅１０００−１に合わせて広く形成し係止段付き部１１ａ、１２ａを備える。また平瓦部１０の表面１０００の尻側端１００３には、略平坦上面１３００を有する水返し突条１３が設けられている。この水返し突条１１、１２は、同じ高さとして、製造の容易化、低コスト化、又は水返し効果等を意図する。そして、水返し突条４を、他の水返し突条１１及び／又は１２に比し、低くして軽量化、水返し機能の達成に役立てること等を意図する。図中１４は釘孔、１５は平瓦部１０の裏面１０００ａに設けた引掛け、１６は平瓦部１０の裏面１０００ａに設けた安定駒、１７は平瓦部１０の裏面１０００ａに設けた横棧用の当て部をそれぞれ示す。また図中１００４は頭側端を示す。尚、１８は平瓦部１０の裏面１０００ａに設けた一の平瓦Ａの水返し突条４が入込む係止用の段付き凹部を示す。
【００２３】
２０は瓦当て２１（万十）付き軒巴で、この軒巴２０を構成する胴体部２２の被せ方向の端面２２ａには、段付き部２３を有している。尚、胴体部２２の長手方向の端面２２ｂには、玉縁（図示せず）を設けることも有り得る。図中２４はワイヤ、釘用等の孔を示す。そして、胴体部２２の端面２２ａの段付き部２３は、一の平瓦Ａと二の平瓦Ｂを葺上げた際に、その表面１００、１０００と、葺上げ段部（二の平瓦Ｂの頭側端面）に当接される。なお、図中２０ａは屋根の切隅に葺設される切隅隅巴である。尚、図中２０ｂは屋根の破風用に葺設される掛巴である。
【００２４】
２５は釘、２６、２７は棧木、２８は屋根地をそれぞれ示す。
【００２５】
２．  図１１〜図２１に示す本葺き屋根（構造）の実施態様を説明する。
【００２６】
３０は軒先用の一方の平瓦Ｃの平瓦部で、この平瓦部３０の表面３０００の両側面端３００１、３００２には、略平坦上面３１００、３２００を有する水返し突条３１、３２が設けられている。この水返し突条３１、３２は、同じ高さとして、製造の容易化、低コスト化、又は水返し効果等を意図する。図中３３は釘孔、３４は平瓦部３０の裏面３０００ａに設けた引掛け、３５は平瓦部３０の裏面３０００ａに設けた安定駒、３６は平瓦部３０の裏面３０００ａに設けた横棧用の当て部をそれぞれ示す。また図中３７は頭側端３００４に設けた瓦当てを示す。
【００２７】
４０は軒先用の他方の平瓦Ｄの平瓦部で、この平瓦部４０の表面４０００の両側面端４００１、４００２には、略平坦上面４１００、４２００を有する水返し突条４１、４２が設けられている。尚、この表面４０００は尻側４００３ａが広幅４０００−１となっている。そして、前記水返し突条４１、４２は、広幅４０００−１に合わせて広く形成し係止段付き部４１００ａ、４２００ａを備える。この水返し突条４１、４２は、同じ高さとして、製造の容易化、低コスト化、又は水返し効果等を意図する。図中４３は釘孔、４４は平瓦部４０の裏面４０００ａに設けた引掛け、４５は平瓦部４０の裏面４０００ａに設けた安定駒、４６は平瓦部４０の裏面４０００ａに設けた横棧用の当て部をそれぞれ示す。また図中４００４は頭側端を示す。
【００２８】
図中Ｃ’は一方の平瓦で、軒先用の一方の平瓦Ｃと、基本的な構造は同じであるが、軒先用の一方の平瓦Ｃの瓦当て３７を有さない。他の構成は、この軒先用の一方の平瓦Ｃに順ずるので、同じ番号、名称を使用する（他の例も同じ）。
【００２９】
５０は瓦当て５１（万十）付き軒巴で、この軒巴５０を構成する胴体部５２の被せ方向の端面５２ａには、段付き部５３を有している。また胴体部５２の長手方向の端面５２ｂには、玉縁５４を有している。図中５５はワイヤ、釘用等の孔を示す。そして、胴体部５２の端面５２ａの段付き部５３は、軒先用の一方の平瓦Ｃと軒先用の他方の平瓦Ｄを葺上げた際に、その表面３０００、４０００と、葺上げ段部（軒先用の他方の平瓦Ｄの頭側端面）に当接される。そして、この広幅４０００−１には、上方に葺かれる一方の平瓦Ｃ’の頭側端３００４が葺設される。この一方の平瓦Ｃ’のその他の構成は、前述一方の平瓦Ｃに順ずるので、同じ番号、名称を使用する。
【００３０】
６０は素丸で、他の構成は、前述の軒掛巴瓦５０に順ずるので、同じ番号、名称を使用する。
【００３１】
【発明の効果】
請求項１の発明は、本葺き屋根を、第一の平瓦と、第二の平瓦との葺き合せで構成する本葺き屋根の平瓦であって、第一の平瓦を、平瓦部と、平瓦部の両側面端に設けた略平坦上面を有する水返し突条と、また平瓦部の尻側端に設けた尻側水返し突条とで構成し、第二の平瓦を、尻側が広幅となる平瓦部と、平瓦部の両側面端に沿って設けた略平坦上面を有する係止段付き部を備えた水返し突条と、平瓦部の尻側端に設けた尻側水返し突条と、また平瓦部の裏面側に設けた凹部とで構成し、第一の平瓦の平瓦部に、第二の平瓦の平瓦部が葺上げられるとともに、また第一の平瓦の水返し突条尻端に、第二の平瓦の水返し突条係止段付き部が衝止することを特徴とした本葺き屋根の平瓦である。従って、第二の平瓦の水返し突条に係止段付き部を形成し、この係止段付き部を、第一の平瓦の水返し突条尻端に衝止することで、略全方向のス゛レ防止が図れること、又は第一の平瓦の水返し突条と、第二の平瓦の水返し突条とを併設することで、本葺きにおいて、むくり、又はそりの如く、曲面状で葺上げる際に、この併設した水返し突条で、雨水の乗り越え、又は伝い流れを防止して、平瓦本体の裏面側に雨水流下、又は雨水流れ落ち等をなくし得る（雨水対策を図り、また屋根裏の濡れをなくし得る）こと、等の特徴がある。
【００３２】
請求項２の発明は、請求項１に記載の第一の平瓦が、破風構造の一の平瓦で、また第二の平瓦が、破風構造の二の平瓦である構成の本葺き屋根の平瓦である。従って、破風構造に最適な一・二の平瓦を提供して、請求項１と同じ効果を達成できる特徴がある。
【００３３】
請求項３の発明は、請求項１に記載の第一の平瓦が、本葺き屋根の一方の平瓦で、また第二の平瓦が、本葺き屋根の他方の平瓦である構成の本葺き屋根の平瓦である。従って、本葺き屋根に最適な一方・他方の平瓦を提供して、請求項１と同じ効果を達成できる特徴がある。
【図面の簡単な説明】
【図１】本発明の本葺き屋根の要部の一部を示す斜視図である。
【図２】図１の要部の拡大正面図である。
【図３】一の平瓦の表面拡大斜視図である。
【図４】一の平瓦の裏面拡大斜視図である。
【図５】二の平瓦の表面拡大斜視図である。
【図６】二の平瓦の裏面拡大斜視図である。
【図７】軒巴の表面拡大斜視図である。
【図８】軒巴裏面拡大斜視図である。
【図９】図１の破風構造を拡大して示した拡大斜視図である。
【図１０】図１の要部の断面図である。
【図１１】軒先用の一方の平瓦の表面拡大斜視図である。
【図１２】軒先用の一方の平瓦の裏面拡大斜視図である。
【図１３】軒先用の他方の平瓦の表面拡大斜視図である。
【図１４】軒先用の他方の平瓦の裏面拡大斜視図である。
【図１５】軒巴の表面拡大斜視図である。
【図１６】軒巴の裏面拡大斜視図である。
【図１７】一方の平瓦の表面拡大斜視図である。
【図１８】一方の平瓦の裏面拡大斜視図である。
【図１９】素丸の表面拡大斜視図である。
【図２０】素丸の裏面拡大斜視図である。
【図２１】図１１〜図２０の例の葺設状態を示した拡大斜視図である。
【符号の説明】
１            平瓦部
１００            表面
１００ａ        裏面
１０１              側面端
１０２              側面端
１０３          尻側端
１０４          頭側端
２            水返し突条
２００          略平坦上面
３            水返し突条
３００          略平坦上面
４            水返し突条
４００          略平坦上面
５            釘孔
６            引掛け
７            安定駒
８            当て部
９            瓦当て
１０          平瓦部
１０００          表面
１０００−１      広幅
１０００ａ        裏面
１００１            側面端
１００２            側面端
１００３        尻側端
１００３ａ        尻側
１００４        頭側端
１１          水返し突条
１１ａ          係止段付き部
１１００        略平坦上面
１２          水返し突条
１２ａ          係止段付き部
１２００        略平坦上面
１３          水返し突条
１３００        略平坦上面
１４          釘孔
１５          引掛け
１６          安定駒
１７          当て部
１８          段付き凹部
２０          軒巴
２０ａ          切隅隅巴
２０ｂ          掛巴
２１          瓦当て
２２          胴体部
２２ａ          端面
２２ｂ          端面
２３          段付き部
２４          孔
２５          釘
２６          棧木
２７          棧木
２８          屋根地
３０          平瓦部
３０００          表面
３０００ａ        裏面
３００１            側面端
３００２            側面端
３００４            頭側端
３１          水返し突条
３１００        略平坦上面
３２          水返し突条
３２００        略平坦上面
３３          釘孔
３４          引掛け
３５          安定駒
３６          当て部
３７          瓦当て
４０          平瓦部
４０００          表面
４０００−１      広幅
４０００ａ        裏面
４００１            側面端
４００２            側面端
４００３ａ        尻側
４００４        頭側端
４１          水返し突条
４１００        略平坦上面
４１００ａ        係止段付き部
４２          水返し突条
４２００        略平坦上面
４２００ａ        係止段付き部
４３          釘孔
４４          引掛け
４５          安定駒
４６          当て部
５０          軒巴
５１          瓦当て
５２          胴体部
５２ａ          端面
５２ｂ          端面
５３          段付き部
５４          玉縁
５５          孔
６０          素丸
Ａ            一の平瓦
Ｂ            二の平瓦
Ｃ            軒先用の一方の平瓦
Ｃ’          一方の平瓦
Ｄ            軒先用の他方の平瓦
【図１】
2004176287.tif 000003
【図２】
2004176287.tif 000004
【図３】
2004176287.tif 000005
【図４】
2004176287.tif 000006
【図５】
2004176287.tif 000007
【図６】
2004176287.tif 000008
【図７】
2004176287.tif 000009
【図８】
2004176287.tif 000010
【図９】
2004176287.tif 000011
【図１０】
2004176287.tif 000012
【図１１】
2004176287.tif 000013
【図１２】
2004176287.tif 000014
【図１３】
2004176287.tif 000015
【図１４】
2004176287.tif 000016
【図１５】
2004176287.tif 000017
【図１６】
2004176287.tif 000018
【図１７】
2004176287.tif 000019
【図１８】
2004176287.tif 000020
【図１９】
2004176287.tif 000021
【図２０】
2004176287.tif 000022
【図２１】
2004176287.tif 000023